(57)【特許請求の範囲】
【請求項１】
信号駆動回路を含む画像表示システムであって、
前記信号駆動回路は、
直列接続され第１クロック信号と第２クロック信号によってのみ制御され、スタートパルスに応じて対応する駆動パルスを順次に発生する複数のシフトレジスタを含み、
前記各シフトレジスタは、
前記第１クロック信号と前記第２クロック信号のうちの一方だけを受信するように作動する第１クロック入力端子、前記第１クロック信号と前記第２クロック信号のうちの他方だけを受信するように作動する第２クロック入力端子、および第１電圧に接続された第１電力端子を有するパルス発生ユニット、および
前記パルス発生ユニットに接続され、前記第１電圧を前記第１クロック入力端子で受信された前記第１クロック信号と前記第２クロック信号の１つから電気的に分離する漏出保護ユニットを含み、
前記漏出保護ユニットは、
前記第１電力端子に接続された第１端子、前記スタートパルスに接続された制御端子と第２端子を含む第１スイッチング素子、
前記第１スイッチング素子の前記第２端子に接続された第１端子と、第１節点に接続された第２端子を含む第２スイッチング素子、
前記第１節点に接続された第１端子と、前記第２クロック入力端子にそれぞれ接続された制御端子と第２端子を含む第３スイッチング素子、
前記第１電力端子の前記第１電圧に電気的に結合された第１端子と、前記第１クロック入力端子で受信された信号に電気的に結合された第２端子と、前記第１節点に接続された制御端子を含む第４スイッチング素子を含むシステム。
【請求項２】
前記漏出保護ユニットの第４スイッチは、前記スタートパルスに応じてオフにされ、前記第１電圧を前記第１クロック入力端子で受信された信号から電気的に分離する請求項１に記載のシステム。
【請求項３】
前記シフトレジスタのＮthの出力端子は、前記シフトレジスタのＮ＋１thの入力端子と、前記シフトレジスタのＮ＋１thのスタートパルスとして機能する前記シフトレジスタのＮthから出力された対応する駆動パルスに接続される請求項１に記載のシステム。
【請求項４】
前記パルス発生ユニットは、前記第２クロック入力端子で受信した前記第１クロック信号と前記第２クロック信号のもう１つに基づいて対応する駆動パルスを発生する請求項２に記載のシステム。
【請求項５】
第４スイッチは、前記第２クロック入力端子で受信された信号が特定電圧レベルになってからオンに維持され、前記漏出保護ユニットを無効状態にする請求項１に記載のシステム。
【請求項６】
前記パルス発生ユニットは、前記漏出保護ユニットが無効にされた後、第１クロック入力端子で受信された前記第１クロック信号と前記第２クロック信号の何れかに基づいてリセットされる請求項５に記載のシステム。
【請求項７】
前記シフトレジスタのＮthの前記第１と前記第２クロック入力端子は、前記第１クロック信号と前記第２クロック信号にそれぞれ接続され、前記シフトレジスタのＮ＋１thの前記第１クロック入力端子と前記第２クロック入力端子は、前記第２クロック信号と前記第１クロック信号にそれぞれ接続される請求項６に記載のシステム。
【請求項８】
前記パルス発生ユニットは、
前記第１電力端子に接続された第１端子と前記第４スイッチング素子の第１端子に接続された第２端子と、前記スタートパルスを受信する制御端子を含む第５スイッチング素子、
前記第４スイッチング素子の第２端子に接続された第１端子と、前記第１クロック入力端子にそれぞれ接続された第２端子と制御端子を含む第６スイッチング素子、
前記第１電力端子に接続された第１端子、前記第４スイッチング素子の第１端子に接続された制御端子と、第２端子を含む第７スイッチング素子、
前記第７スイッチング素子の第２端子に接続された第１端子と、前記スタートパルスにそれぞれ接続された制御端子と第２端子を含む第８スイッチング素子、
前記第１電力端子に接続された第１端子、前記第８スイッチング素子の第１端子に接続された制御端子と、第２端子を含む第９スイッチング素子、
前記第９スイッチング素子の第２端子に接続された第１端子と、前記第５スイッチング素子の第２端子に接続された第２端子と、前記出力端子に接続された制御端子を含む第１０スイッチング素子、
前記第８スイッチング素子の第１端子に接続された第１端子、第２電力端子に接続された制御端子と、第２端子を含む第１１スイッチング素子、
前記第１電力端子と前記出力端子に接続された第１端子と、前記出力端子に接続された第２端子と、前記第１０スイッチング素子の第２端子に接続された制御端子を含む第１２スイッチング素子、および、
前記出力端子に接続された第１端子と、前記第２クロック入力端子に接続された第２端子と、前記第１１スイッチング素子の第２端子に接続された制御端子を含む第１３スイッチング素子を更に含む請求項１に記載のシステム。
【請求項９】
前記パルス発生ユニットは、
前記第１電力端子と前記第４スイッチング素子の第１端子の間に接続され、前記スタートパルスに接続された制御端子を含む第５スイッチング素子、
前記第４スイッチング素子の第２端子と前記第１クロック入力端子の間に接続され、前記第１クロック入力端子に接続された制御端子を含む第６スイッチング素子、
前記第１電力端子に接続された第１端子、前記第４スイッチング素子の第１端子に接続された制御端子と、第２端子を含む第７スイッチング素子、
前記第７スイッチング素子の第２端子に接続された第１端子と、前記スタートパルスにそれぞれ接続された制御端子と第２端子を含む第８スイッチング素子、
前記第１電力端子に接続された第１端子、前記第８スイッチング素子の第１端子に接続された制御端子と、第２端子を含む第９スイッチング素子、
前記第５と前記第９スイッチング素子の第２端子の間に接続され、前記第２クロック入力端子に接続された制御端子を含む第１０スイッチング素子、
前記第８スイッチング素子の第１端子に接続された第１端子、前記第２電力端子に接続された制御端子と、第２端子を含む第１１スイッチング素子、
前記第１電力端子と前記出力端子の間に接続され、前記第１０スイッチング素子の前記第２端子に接続された制御端子を含む第１２スイッチング素子、および
前記出力端子と前記第２クロック入力端子の間に接続され、前記第１１スイッチング素子の前記第２端子に接続された制御端子を含む第１３スイッチング素子を更に含む請求項１に記載のシステム。
【発明の詳細な説明】
【技術分野】
【０００１】
本発明は、画像表示に関するものである。
【背景技術】
【０００２】
高解像度、マルチカラーディスプレイ、低消費電力、低電圧要求と、軽量が液晶ディスプレイ（ＬＣＤ）を主要なディスプレイ装置技術としている。ＬＣＤは、ここ数年、例えば、ＰＤＡ、携帯型パソコン、携帯電話などのモバイル情報ディスプレイに用いられている。
【０００３】
図１は、ＰＭＯＳシフトレジスタを含む従来の信号駆動回路を表している。しかし、ＰＭＯＳシフトレジスタは、外部特定用途向け集積回路（ＡＳＩＣ）（図示しない）によって提供される４つのクロック信号ＣＬＫ１〜ＣＬＫ４を必要とする。増加されたクロック信号により、ＰＭＯＳシフトレジスタの使用を必要とするＡＳＩＣは、通常、比較的高価格である。
【発明の開示】
【発明が解決しようとする課題】
【０００４】
画像表示システムを提供する。
【課題を解決するための手段】
【０００５】
信号駆動回路は、直列接続され、第１クロックと第２クロックによってのみ制御され、スタートパルスに応じて対応する駆動パルスを順次に発生する複数のシフトレジスタを含む。各シフトレジスタは、第１クロック入力端子を有し、第１と第２クロックの１つを受信するように作動し、第１電圧に接続された第１電力端子を有するパルス発生ユニットと、パルス発生ユニットに接続され、第１クロック入力端子で第１電圧を受信されたクロック信号から電気的に分離する漏出保護ユニットを含む。
【０００６】
画像表示システムのもう１つの実施例は、直列接続され、スタートパルスに応じて対応する駆動パルスを順次に発生する複数のシフトレジスタを有する信号駆動回路を含む。各シフトレジスタは、第１電圧と第２電圧によって電力を供給され、第１クロックと第２クロックに接続されたパルス発生ユニットと、パルス発生ユニットに接続され、第１と第２電圧を第１と第２クロックから電気的に分離する漏出保護ユニットを含む。
【０００７】
画像表示システムのもう１つの実施例は、第１クロックと第２クロックによって制御され、スタートパルスに応じて対応する駆動パルスを順次に発生する信号駆動回路を含む。信号駆動回路では、第１シフトレジスタは、第１クロックを受ける第１クロック入力端子、第２クロックを受ける第２クロック入力端子、第１電圧に接続された電力端子、入力端子と、対応する駆動パルスを出力する出力端子を含む。第２シフトレジスタは、第２クロックを受ける第１クロック入力端子、第１クロックを受ける第２クロック入力端子と、第１シフトレジスタの出力端子に接続された入力端子を含む。第１と第２シフトレジスタは、スタートパルス、または対応する駆動回路を受けた時、第１クロック入力端子で第１電圧を受信されたクロックから電気的に分離する漏出保護ユニットをそれぞれ含む。
【発明の効果】
【０００８】
本発明の画像表示システムによれば、信号駆動回路が２つのクロックのみ必要とし、ＰＭＯＳシフトレジスタによって形成されることから、従来の４つのクロック信号を必要とするＣＭＯＳシフトレジスタの信号駆動回路に比べ、より低価格で製造することができる。また、信号駆動回路のＰＭＯＳシフトレジスタが動作の間、クロックから電圧を電気的に分離する漏出ユニットをそれぞれ含むことから、望ましくない漏出を防ぐことができる。
【発明を実施するための最良の形態】
【０００９】
本発明についての目的、特徴、長所が一層明確に理解されるよう、以下に実施形態を例示し、図面を参照にしながら、詳細に説明する。
【実施例】
【００１０】
図２は、駆動パルスを提供するシフトレジスタを表している。
【００１１】
シフトレジスタ５０は、トランジスタＭ１〜Ｍ９を含み、且つ、クロックＣＬＫ１とＣＬＫ２によって制御される。スタートパルスＳＴＰが低くなった時、トランジスタＭ１とＭ２は、オンにされ、クロックＣＬＫ２が低くなった時、トランジスタＭ１とＭ２を介して漏出Ｉleakageを招くため、シフトレジスタが正常に動作できなくなり、消費電力が増加される。
【００１２】
図３は、信号駆動回路を含む画像表示システムの実施例を表している。図に示すように、信号駆動回路１００は、直列接続された複数のシフトレジスタＳＲ１〜ＳＲＮを含み、それぞれ入力端子ＩＮ、出力端子ＯＵＴ、２つのクロック入力端子ＡＴとＢＴと、２つの電力端子Ｐ１とＰ２を含む。シフトレジスタＳＲ１〜ＳＲＮは、２つのクロックＣＬＫ１とＣＬＫ２によってのみ制御され、スタートパルスＳＴＰを受けた後、対応する駆動パルスｏｕｔ１〜ｏｕｔｎを順次に出力する。注意するのは、クロックＣＬＫ１とＣＬＫ２は、互いに逆位相でないがその間に位相差を有する。
【００１３】
この実施例では、信号駆動回路１００は、ディスプレイパネル（図示しない）の中に統合される。制御器１１０は、クロックＣＬＫ１とＣＬＫ２とスタートパルスＳＴＰを提供する。制御器１１０は、例えば、電子装置（図８参照）に見られるタイミングコントローラ４２０によって提供されることができるクロックとスタートパルスＳＴＰの一部、またはクロックとスタートパルスＳＴＰであることができる。制御器１１０は、例えば、ＡＳＩＣであることができる。
【００１４】
シフトレジスタＳＲ１では、クロック入力端子ＡＴは、第１クロックＣＬＫ１に接続され、クロック入力端子ＢＴは、第２クロックＣＬＫ２に接続される。電力端子Ｐ１は、電圧ＶＤＤに接続され、電力端子ＢＴは、電圧ＶＳＳに接続される。入力端子ＩＮは、スタートパルスＳＴＰに接続されて、出力端子ＯＵＴが対応する駆動パルスｏｕｔ１を出力するように作動する。シフトレジスタＳＲ２では、クロック入力端子ＡＴは、クロックＣＬＫ２に接続され、クロック入力端子ＢＴは、クロックＣＬＫ１に接続される。電力端子Ｐ１は、電圧ＶＤＤに接続され、電力端子ＢＴは、電圧ＶＳＳに接続される。入力端子ＩＮは、シフトレジスタＳＲ１の出力端子ＯＵＴに接続されて、出力端子ＯＵＴが対応する駆動パルスｏｕｔ２を出力するように作動する。
【００１５】
シフトレジスタＳＲ３では、クロック入力端子ＡＴは、クロックＣＬＫ１に接続され、クロック入力端子ＢＴは、クロックＣＬＫ２に接続される。電力端子Ｐ１は、電圧ＶＤＤに接続され、電力端子ＢＴは、電圧ＶＳＳに接続される。入力端子ＩＮは、シフトレジスタＳＲ２の出力端子ＯＵＴに接続されて、出力端子ＯＵＴが対応する駆動パルスｏｕｔ３を出力するように作動する。
【００１６】
図４は、図３の信号駆動回路のタイミング図である。シフトレジスタＳＲ１は、駆動パルスｏｕｔ１を発生し、スタートパルスＳＴＰを受けた後、クロックＣＬＫ１に基づいてシフトレジスタＳＲ２の入力端子ＩＮに出力する。例えば、時間ｔ０でスタートパルスＳＴＰを受けた後、時間ｔ２でクロックＣＬＫ１が低くなった時、シフトレジスタＳＲ１は、駆動パルスｏｕｔ１を出力する。
【００１７】
シフトレジスタＳＲ２は、駆動パルスｏｕｔ２を発生し、シフトレジスタＳＲ１から駆動パルスｏｕｔ１を受けた後、クロックＣＬＫ２に基づいてシフトレジスタＳＲ３の入力端子ＩＮに出力する。例えば、時間ｔ２で駆動パルスｏｕｔ１を受けた後、時間ｔ４でクロックＣＬＫ２が低くなった時、シフトレジスタＳＲ２は、駆動パルスｏｕｔ２を出力する。
【００１８】
シフトレジスタＳＲ３は、駆動パルスｏｕｔ３を発生し、シフトレジスタＳＲ２から駆動パルスｏｕｔ２を受けた後、クロックＣＬＫ１に基づいてシフトレジスタＳＲ４（図示しない）の入力端子ＩＮに出力する。例えば、時間ｔ４で駆動パルスｏｕｔ２を受けた後、時間ｔ６でクロックＣＬＫ１が低くなった時、シフトレジスタＳＲ３は、駆動パルスｏｕｔ３を出力する。すなわち、シフトレジスタＳＲ１〜ＳＲＮは、クロックＣＬＫ１とＣＬＫ２によって制御され、スタートパルスＳＴＰを受けた後、対応する駆動パルスｏｕｔ１〜ｏｕｔｎを出力し、画素アレイ（図示しない）のスキャンラインを駆動する。
【００１９】
ここでは、シフトレジスタＳＲ１〜ＳＲＮは、同じ構造を有し、同じ伝導率のＭＯＳトランジスタによって形成される。
【００２０】
図５は、図３に示されたシフトレジスタの実施例１を表している。シフトレジスタ２００Ａは、パルス発生ユニット１０と漏出保護ユニット２０を含む。
【００２１】
パルス発生ユニット１０では、クロック入力端子ＡＴは、クロックＣＬＫ１とＣＬＫ２の１つを受け、クロック入力端子ＢＴは、もう１つを受ける。電力端子Ｐ１は、電圧ＶＤＤに接続され、電力端子Ｐ２は、電圧ＶＳＳに接続される。出力端子ＯＵＴは、次の段階に接続され、入力端子ＩＮは、スタートパルスＳＴＰを受ける（または前段階からの駆動パルスに対応する）。
【００２２】
漏出保護ユニット２０は、パルス発生ユニット１０に接続され、スタートパルスＳＴＰを受けた時、クロック入力端子ＢＴで電圧ＶＤＤを受信されたクロックから電気的に分離する。スタートパルスＳＴＰを受けた後、パルス発生ユニット１０は、クロック入力端子ＡＴで受信されたクロックに基づいて対応する駆動パルスを発生する。
【００２３】
また、漏出保護ユニット２０は、スタートパルスＳＴＰの後、クロック入力端子ＡＴによって受信された第１と第２クロックＣＬＫ１とＣＬＫ２のその他に基づいて無効にされ、パルス発生ユニット１０は、漏出保護ユニット２０が無効にされた時、クロック入力端子ＢＴで受信されたクロックに基づいてリセットされる。
【００２４】
例えば、奇数のシフトレジスタでは、クロック入力端子ＡＴは、クロックＣＬＫ１を受け、クロック入力端子ＢＴは、クロックＣＬＫ２を受ける。漏出保護ユニット２０は、スタートパルスＳＴＰ（または前段階からの対応する駆動パルス）を受けた時、クロック入力端子ＢＴで電圧ＶＤＤをクロックＣＬＫ２から電気的に分離する。漏出保護ユニット２０は、スタートパルスＳＴＰ（または前段階からの対応する駆動パルス）の後、クロックＣＬＫ１に基づいて無効にされ、パルス発生ユニット１０は、漏出保護ユニット２０が無効にされた時、クロック入力端子ＢＴでクロックＣＬＫ２に基づいてリセットされる。
【００２５】
また、偶数のシフトレジスタでは、クロック入力端子ＡＴは、クロックＣＬＫ２を受け、クロック入力端子ＢＴは、クロックＣＬＫ１を受ける。漏出保護ユニット２０は、スタートパルスＳＴＰ（または前段階からの対応する駆動パルス）を受けた時、クロック入力端子ＢＴで電圧ＶＤＤをクロックＣＬＫ１から電気的に分離する。漏出保護ユニット２０は、スタートパルスＳＴＰ（または前段階からの対応する駆動パルス）の後、クロックＣＬＫ２に基づいて無効にされ、パルス発生ユニット１０は、漏出保護ユニット２０が無効にされた後、クロック入力端子ＢＴでクロックＣＬＫ１に基づいてリセットされる。
【００２６】
パルス発生ユニット１０は、ＰＭＯＳトランジスタＭ１〜Ｍ９を含む。トランジスタＭ１は、電力端子Ｐ１に接続された第１端子、入力端子ＩＮに接続された制御端子と、節点ＡＮに接続された第２端子を含む。トランジスタＭ２は、漏出保護ユニット２０によって節点ＡＮに接続され、制御端子と第２端子の両方は、クロック入力端子ＢＴに接続される。トランジスタＭ３は、電力端子ＶＤＤに接続された第１端子、節点ＡＮに接続された制御端子と、節点ＢＮに接続された第２端子を含む。トランジスタＭ４は、節点ＢＮに接続された第１端子、入力端子ＩＮに接続された制御端子と第２端子の両方を含む。
【００２７】
トランジスタＭ５は、第１電力端子ＶＤＤに接続された第１端子、節点ＢＮに接続された制御端子と、トランジスタＭ６に接続された第２端子を含む。トランジスタＭ６は、トランジスタＭ５の第２端子に接続された第１端子、クロック入力端子ＡＴに接続された制御端子と、節点ＢＮに接続された第２端子を含む。トランジスタＭ７は、節点ＢＮに接続された第１端子、電力端子Ｐ２に接続された制御端子と、トランジスタＭ９に接続された第２端子を含む。トランジスタＭ８は、電力端子Ｐ１に接続された第１端子、節点ＡＮに接続された制御端子と、出力端子ＯＵＴに接続された第２端子を含む。トランジスタＭ９は、出力端子ＯＵＴに接続された第１端子、トランジスタＭ７の第２端子に接続された制御端子と、クロック入力端子ＡＴに接続された第２端子を含む。
【００２８】
漏出保護ユニット２０は、ＰＭＯＳトランジスタＭ１０〜Ｍ１３を含む。トランジスタＭ１０は、電力端子ＶＤＤに接続された第１端子、入力端子ＩＮに接続された制御端子と、トランジスタＭ１１に接続された第２端子を含む。トランジスタＭ１１は、トランジスタＭ１０の第２端子に接続された第１端子、節点ＣＮに接続された第２端子と、電力端子Ｐ２に接続された制御端子を含む。トランジスタＭ１２は、節点ＣＮに接続された第１端子、クロック入力端子ＡＴに接続された第２端子と制御端子の両方を含む。トランジスタＭ１３は、節点ＡＮとトランジスタＭ２の第１端子の間に接続され、節点ＣＮに接続された制御端子を含む。
【００２９】
注意するのは、例えば、ＳＲ１、ＳＲ３、．．．の奇数のシフトレジスタのクロック入力端子ＡＴとＢＴは、クロックＣＬＫ１とＣＬＫ２にそれぞれ接続され、例えば、ＳＲ２、ＳＲ４、．．．の偶数のシフトレジスタのクロック入力端子ＡＴとＢＴは、クロックＣＬＫ２とＣＬＫ１にそれぞれ接続される。全シフトレジスタＳＲ１〜ＳＲＮの入力端子ＩＮは、スタートパルスＳＴＰ（または前段階からの対応する駆動パルス）に接続され、全シフトレジスタの電力端子Ｐ１は、電力電圧ＶＤＤに接続され、全シフトレジスタの電力端子Ｐ２は、電力電圧ＶＳＳに接続される。
【００３０】
また、シフトレジスタＳＲ１の節点ＡＮ、ＢＮと、ＣＮの電圧ＶＡＮ、ＶＢＮとＶＣＮは、それぞれＶＡ１、ＶＢ１と、ＶＣ１（図４参照）によって表され、シフトレジスタＳＲ２の節点ＡＮ、ＢＮと、ＣＮの電圧ＶＡＮ、ＶＢＮとＶＣＮは、それぞれＶＡ２、ＶＢ２と、ＶＣ２によって表される。シフトレジスタＳＲ３の節点ＡＮ、ＢＮと、ＣＮの電圧ＶＡＮ、ＶＢＮとＶＣＮは、それぞれＶＡ３、ＶＢ３と、ＶＣ３によって表される。
【００３１】
図３に示される信号駆動回路１００の動作は、図４と図５を参照にしながら下記に説明する。
【００３２】
時間ｔ０の時：
シフトレジスタＳＲ１では、スタートパルスＳＴＰとクロックＣＬＫ２が低くなり、クロックＣＬＫ１が高いままの時、トランジスタＭ１、Ｍ２、Ｍ４、Ｍ５、Ｍ７、Ｍ９、Ｍ１０と、Ｍ１１は、オンにされ、トランジスタＭ３、Ｍ６、Ｍ８、Ｍ１２と、Ｍ１３は、オフにされる。
【００３３】
トランジスタＭ１とＭ４がオンにされた時、節点Ａ１の電圧ＶＡ１は、高く引き上げられ、節点Ｂ１の電圧ＶＢ１は、低く引き下げられる。よって、パルス発生ユニット１０は、トランジスタＭ７とＭ９により有効にされ、クロックＣＬＫ１が出力されて駆動パルスｏｕｔ１として機能する。また、トランジスタＭ１０とＭ１１がオンにされた時、電圧ＶＣ１は、高く引き上げられ、トランジスタＭ１３がオフにされる。即ち、クロック入力端子ＢＴによって受けられたクロックＣＬＫ２（低レベルで）は、漏出保護ユニット２０により電圧ＶＤＤから電気的に分離され、よって、漏出が防がれる。
【００３４】
この時、シフトレジスタＳＲ２〜ＳＲＮは、対応するスタートパルスがシフトレジスタＳＲ２〜ＳＲＮに入力されないことから無効になる。
【００３５】
時間ｔ１の時：
シフトレジスタＳＲ１では、スタートパルスＳＴＰとクロックＣＬＫ２が高くなり、クロックＣＬＫ１が高いままの時、トランジスタＭ５、Ｍ７、Ｍ９と、Ｍ１１は、オンにされ、トランジスタＭ１、Ｍ２、Ｍ３、Ｍ４、Ｍ６、Ｍ８、Ｍ１０、Ｍ１２と、Ｍ１３は、オフにされる。よって、節点Ａ１とＣ１の電圧ＶＡ１とＶＣ１は、高いままであり、節点Ｂ１の電圧ＶＢ１は、低いままである。駆動パルスｏｕｔ１は、クロックＣＬＫ１が高いままであることから、高いままである。
【００３６】
この時、シフトレジスタＳＲ２〜ＳＲＮは、対応するスタートパルスがシフトレジスタＳＲ２〜ＳＲＮに入力されないことから無効になる。
【００３７】
時間ｔ２の時：
シフトレジスタＳＲ１では、スタートパルスＳＴＰとクロックＣＬＫ２が高いままであり、クロックＣＬＫ１が低くなることから、トランジスタＭ５、Ｍ６、Ｍ７、Ｍ９、Ｍ１１と、Ｍ１３は、オンにされ、トランジスタＭ１、Ｍ２、Ｍ３、Ｍ４、Ｍ８と、Ｍ１０は、オフにされる。よって、節点Ａ１の電圧ＶＡ１は、高いままであり、節点Ｂ１の電圧ＶＢ１は、低いままであり、節点Ｃ１の電圧ＶＣ１は、低くなる。電圧ＶＣ１が低くなった時、トランジスタＭ１３がオンにされる。即ち、漏出保護ユニット２０は、クロックＣＬＫ１により無効にされる。また、この時、クロックＣＬＫ１が低くなることから、シフトレジスタＳＲ１の駆動パルスｏｕｔ１は、低くなる。
【００３８】
同時に、シフトレジスタＳＲ２のパルス発生ユニット１０は、有効にされ、節点Ａ２の電圧ＶＡ２は、高く引き上げられ、節点Ｂ２の電圧ＶＢ２は、低く引き下げられる。よって、シフトレジスタＳＲ２では、トランジスタＭ７とＭ９により、クロックＣＬＫ２が出力されて駆動パルスｏｕｔ２として機能する。また、電圧ＶＣ２は、トランジスタＭ１０とＭ１１がオンにされた時、高く引き上げられ、トランジスタＭ１３がオフにされる。即ち、クロック入力端子ＢＴによって受けられたクロックＣＬＫ１（低レベルで）は、漏出保護ユニット２０により電圧ＶＤＤから電気的に分離され、よって、漏出が防がれる。
【００３９】
この時、シフトレジスタＳＲ３〜ＳＲＮは、対応するスタートパルスがシフトレジスタＳＲ３〜ＳＲＮに入力されないことから無効になる。
【００４０】
時間ｔ３の時：
シフトレジスタＳＲ１では、スタートパルスＳＴＰとクロックＣＬＫ２が高いままであり、クロックＣＬＫ１が高くなることから、トランジスタＭ５、Ｍ７、Ｍ９、Ｍ１１と、Ｍ１３は、オンにされ、トランジスタＭ１、Ｍ２、Ｍ３、Ｍ４、Ｍ６、Ｍ８、Ｍ１０と、Ｍ１２は、オフにされる。よって、節点Ａ１の電圧ＶＡ１は、高いままであり、節点Ｂ１とＣ１の電圧ＶＢ１とＶＣ１は、低いままである。この時、クロックＣＬＫ１が高くなることから、シフトレジスタＳＲ１の駆動パルスｏｕｔ１は、高くなる。
【００４１】
同時に、シフトレジスタＳＲ２では、駆動パルスｏｕｔ１（対応のスタートパルス）とクロックＣＬＫ１が高くなり、クロックＣＬＫ２が高いままであることから、トランジスタＭ５、Ｍ７、Ｍ９とＭ１１は、オンにされ、トランジスタＭ１、Ｍ２、Ｍ３、Ｍ４、Ｍ６、Ｍ８、Ｍ１０、Ｍ１２と、Ｍ１３は、オフにされる。よって、節点Ａ１とＣ１の電圧ＶＡ２とＶＣ２は、高いままであり、節点Ｂ１の電圧ＶＢ２は、低いままである。この時、クロックＣＬＫ２が高いままであることから、駆動パルスｏｕｔ２は、まだ高いままである。
【００４２】
この時、シフトレジスタＳＲ３〜ＳＲＮは、対応するスタートパルスがシフトレジスタＳＲ３〜ＳＲＮに入力されないことから無効になる。
【００４３】
時間ｔ４の時：
シフトレジスタＳＲ１では、スタートパルスＳＴＰとクロックＣＬＫ１が高いままであり、クロックＣＬＫ２が低くなることから、トランジスタＭ２、Ｍ３、Ｍ７、Ｍ８、Ｍ１１と、Ｍ１３は、オンにされ、トランジスタＭ１、Ｍ４、Ｍ５、Ｍ６、Ｍ９、Ｍ１０と、Ｍ１２は、オフにされる。トランジスタＭ２、Ｍ３と、Ｍ１３がオンにされることから、節点Ａ１の電圧ＶＡ１は、低く引き下げられ、節点Ｂ１の電圧ＶＢ１は、高く引き上げられる。よって、パルス発生ユニット１０は、リセットされる。
【００４４】
同時に、シフトレジスタＳＲ２では、駆動パルスｏｕｔ１（対応のスタートパルス）とクロックＣＬＫ１が高いままであり、クロックＣＬＫ２が低くなることから、トランジスタＭ５、Ｍ６、Ｍ７、Ｍ９、Ｍ１１、Ｍ１２と、Ｍ１３は、オンにされ、トランジスタＭ１、Ｍ２、Ｍ３、Ｍ４、Ｍ８と、Ｍ１０は、オフにされる。よって、節点Ａ２の電圧ＶＡ２は、高いままで、節点Ｂ２の電圧ＶＢ２は、低いままであり、節点Ｃ１の電圧ＶＣ２は、低くなる。更に、この時、クロックＣＬＫ２が低くなることから、シフトレジスタＳＲ２の駆動パルスｏｕｔ２は、低くなる。
【００４５】
同時に、シフトレジスタＳＲ３のパルス発生ユニット１０は、有効にされ、節点Ａ３の電圧ＶＡ３は、高く引き上げられ、節点Ｂ３の電圧ＶＢ３は、低く引き下げられる。よって、シフトレジスタＳＲ３では、トランジスタＭ７とＭ９により、クロックＣＬＫ１が出力されて駆動パルスｏｕｔ３として機能する。また、電圧ＶＣ３は、トランジスタＭ１０とＭ１１がオンにされた時、高く引き上げられ、トランジスタＭ１３がオフにされる。即ち、クロック入力端子ＢＴによって受けられたクロックＣＬＫ２（低レベルで）は、漏出保護ユニット２０により電圧ＶＤＤから電気的に分離され、よって、漏出が防がれる。
【００４６】
この時、シフトレジスタＳＲ４〜ＳＲＮは、対応するスタートパルスがシフトレジスタＳＲ４〜ＳＲＮに入力されないことから無効になる。
【００４７】
時間ｔ５の時：
シフトレジスタＳＲ１では、パルス発生ユニット１０がリセットされることから、駆動パルスｏｕｔ１は、高いままである。
【００４８】
同時に、シフトレジスタＳＲ２では、駆動パルスｏｕｔ１とクロックＣＬＫ１が高いままであり、クロックＣＬＫ２が高くなることから、トランジスタＭ５、Ｍ７、Ｍ９、Ｍ１１と、Ｍ１３は、オンにされ、トランジスタＭ１、Ｍ２、Ｍ３、Ｍ４、Ｍ６、Ｍ８、Ｍ１０と、Ｍ１２は、オフにされる。よって、節点Ａ２の電圧ＶＡ２は、高いままであり、節点Ｂ２とＣ２の電圧ＶＢ２とＶＣ２は、低いままである。この時、クロックＣＬＫ２が高くなることから、シフトレジスタＳＲ２の駆動パルスｏｕｔ２は、高くなる。
【００４９】
同時に、シフトレジスタＳＲ３では、駆動パルスｏｕｔ２（対応のスタートパルス）とクロックＣＬＫ２が高くなり、クロックＣＬＫ１が高いままであることから、トランジスタＭ５、Ｍ７、Ｍ９と、Ｍ１１は、オンにされ、トランジスタＭ１、Ｍ２、Ｍ３、Ｍ４、Ｍ６、Ｍ８、Ｍ１０、Ｍ１２と、Ｍ１３は、オフにされる。よって、節点Ａ３とＣ３の電圧ＶＡ３とＶＣ３は、高いままであり、節点Ｂ３の電圧ＶＢ３は、低いままである。クロックＣＬＫ１が高いままであることから、駆動パルスｏｕｔ３は、高いままである。
【００５０】
この時、シフトレジスタＳＲ４〜ＳＲＮは、対応するスタートパルスがシフトレジスタＳＲ４〜ＳＲＮに入力されないことから無効になる。
【００５１】
時間ｔ６の時：
シフトレジスタＳＲ１では、パルス発生ユニット１０がリセットされることから、駆動パルスｏｕｔ１は、高いままである。
【００５２】
シフトレジスタＳＲ２では、駆動パルスｏｕｔ１とクロックＣＬＫ２が高いままであり、クロックＣＬＫ１が低くなることから、トランジスタＭ２、Ｍ３、Ｍ７、Ｍ８、Ｍ１１と、Ｍ１３は、オンにされ、トランジスタＭ１、Ｍ４、Ｍ５、Ｍ６、Ｍ９、Ｍ１０と、Ｍ１２は、オフにされる。トランジスタＭ２、Ｍ３と、Ｍ１３がオンにされることから、節点Ａ２の電圧ＶＡ２は、低く引き下げられ、節点Ｂ２の電圧ＶＢ２は、高く引き上げられる。よって、パルス発生ユニット１０は、リセットされる。
【００５３】
同時に、シフトレジスタＳＲ３では、駆動パルスｏｕｔ２（対応のスタートパルス）とクロックＣＬＫ２が高いままであり、クロックＣＬＫ１が低くなることから、トランジスタＭ５、Ｍ６、Ｍ７、Ｍ９、Ｍ１１、Ｍ１２と、Ｍ１３は、オンにされ、トランジスタＭ１、Ｍ２、Ｍ３、Ｍ４、Ｍ８と、Ｍ１０は、オフにされる。よって、節点Ａ３の電圧ＶＡ３は、高いままで、節点Ｂ３の電圧ＶＢ３は、低いままであり、節点Ｃ３の電圧ＶＣ３は、低くなる。電圧ＶＣ３が低くなった時、トランジスタＭ１３はオンになる。即ち、漏出保護ユニット２０は、クロックＣＬＫ２により無効になる。また、この時、クロックＣＬＫ１が低くなることから、シフトレジスタＳＲ３の駆動パルスｏｕｔ３は、低くなる。
【００５４】
同時に、シフトレジスタＳＲ４のパルス発生ユニット１０は、有効にされ、節点Ａ４の電圧ＶＡ４は、高く引き上げられ、節点Ｂ４の電圧ＶＢ４は、低く引き下げられる。よって、シフトレジスタＳＲ４では、トランジスタＭ７とＭ９により、クロックＣＬＫ２が出力されて駆動パルスｏｕｔ４として機能する。また、電圧ＶＣ４は、トランジスタＭ１０とＭ１１がオンにされることから、高く引き上げられ、トランジスタＭ１３がオフにされる。即ち、クロック入力端子ＢＴによって受信されたクロックＣＬＫ１（低レベルで）は、漏出保護ユニット２０により電圧ＶＤＤから電気的に分離され、よって、漏出が防がれる。
【００５５】
この時、シフトレジスタＳＲ５〜ＳＲＮは、対応するスタートパルスがシフトレジスタＳＲ５〜ＳＲＮに入力されないことから無効になる。
【００５６】
時間ｔ７の時：
シフトレジスタＳＲ１とＳＲ２では、パルス発生ユニット１０がリセットされることから、駆動パルスｏｕｔ１とｏｕｔ２の両方は、高いままである。
【００５７】
シフトレジスタＳＲ３では、駆動パルスｏｕｔ２とクロックＣＬＫ２が高いままであり、クロックＣＬＫ１が高くなることから、トランジスタＭ５、Ｍ７、Ｍ９、Ｍ１１と、Ｍ１３は、オンにされ、トランジスタＭ１、Ｍ２、Ｍ３、Ｍ４、Ｍ６、Ｍ８、Ｍ１０と、Ｍ１２は、オフにされる。よって、節点Ａ３の電圧ＶＡ３は、高いままであり、節点Ｂ３とＣ３の電圧ＶＢ３とＶＣ３は、低いままである。この時、クロックＣＬＫ１が高くなることから、シフトレジスタＳＲ３の駆動パルスｏｕｔ２は、高くなる。
【００５８】
同時に、シフトレジスタＳＲ４では、駆動パルスｏｕｔ３（対応のスタートパルス）とクロックＣＬＫ１が高くなり、クロックＣＬＫ２が高いままであることから、トランジスタＭ５、Ｍ７、Ｍ９と、Ｍ１１は、オンにされ、トランジスタＭ１、Ｍ２、Ｍ３、Ｍ４、Ｍ６、Ｍ８、Ｍ１０、Ｍ１２と、Ｍ１３は、オフにされる。よって、節点Ａ４とＣ４の電圧ＶＡ４とＶＣ４は、高いままであり、節点Ｂ４の電圧ＶＢ４は、低いままである。クロックＣＬＫ４が高いままであることから、駆動パルスｏｕｔ４は、高いままである。
【００５９】
この時、シフトレジスタＳＲ５〜ＳＲＮは、対応するスタートパルスがシフトレジスタＳＲ５〜ＳＲＮに入力されないことからまだ無効にされる。
【００６０】
時間ｔ８の時：
シフトレジスタＳＲ１とＳＲ２では、パルス発生ユニット１０がリセットされることから、駆動パルスｏｕｔ１とｏｕｔ２の両方は、高いままである。
【００６１】
シフトレジスタＳＲ３では、駆動パルスｏｕｔ２とクロックＣＬＫ１が高いままであり、クロックＣＬＫ２が低くなることから、トランジスタＭ２、Ｍ３、Ｍ７、Ｍ８、Ｍ１１と、Ｍ１３は、オンにされ、トランジスタＭ１、Ｍ４、Ｍ５、Ｍ６、Ｍ９、Ｍ１０と、Ｍ１２は、オフにされる。トランジスタＭ２、Ｍ３と、Ｍ１３がオンにされることから、節点Ａ３の電圧ＶＡ３は、低く引き下げられ、節点Ｂ３の電圧ＶＢ３は、高く引き上げられる。よって、パルス発生ユニット１０は、リセットされる。
【００６２】
同時に、シフトレジスタＳＲ４では、駆動パルスｏｕｔ３（対応のスタートパルス）とクロックＣＬＫ１が高いままであり、クロックＣＬＫ２が低くなることから、トランジスタＭ５、Ｍ６、Ｍ７、Ｍ９、Ｍ１１、Ｍ１２と、Ｍ１３は、オンにされ、トランジスタＭ１、Ｍ２、Ｍ３、Ｍ４、Ｍ８と、Ｍ１０は、オフにされる。よって、節点Ａ４の電圧ＶＡ４は、高いままであり、節点Ｂ４の電圧ＶＢ４は、低いままであり、節点Ｃ４の電圧ＶＣ４は、低くなる。電圧ＶＣ４が低くなった時、トランジスタＭ１３はオンになる。即ち、漏出保護ユニット２０は、クロックＣＬＫ２により無効になる。また、この時、クロックＣＬＫ２が低くなることから、シフトレジスタＳＲ４の駆動パルスｏｕｔ４は、低くなる。
【００６３】
シフトレジスタＳＲ４〜ＳＲＮの順次処理は、シフトレジスタＳＲ１〜ＳＲ３の順次処理と同様であり、簡略化のため省略される。
【００６４】
よって、信号駆動回路１００は、対応の駆動パルスとして機能するクロックＣＬＫ１、またはクロックＣＬＫ２を順に出力する。この実施例の信号駆動回路が２つのクロックのみ必要とし、ＰＭＯＳシフトレジスタによって形成されることから、従来の４つのクロック信号を必要とするＣＭＯＳシフトレジスタの信号駆動回路に比べ、より低価格で製造することができる。また、信号駆動回路のＰＭＯＳシフトレジスタが動作の間、クロックから電圧を電気的に分離する漏出ユニットをそれぞれ含むことから、望ましくない漏出が防がれる。
【００６５】
図６は、シフトレジスタのもう１つの実施例を表している。図に見られるように、シフトレジスタ２００Ｂは、トランジスタＭ６の制御端子がクロック入力端子ＡＴでなく、出力端子ＯＵＴに接続されることを除いて、図５のシフトレジスタ２００Ａと同様である。シフトレジスタ２００Ｂの動作は、シフトレジスタ２００Ａの動作と同様であり、よって、簡易化のため省略される。
【００６６】
図７は、シフトレジスタのもう１つの実施例を表している。図に見られるように、シフトレジスタ２００Ｃは、信頼性を増すために、ＰＭＯＳトランジスタＭ１〜Ｍ１３がデュアルゲートトランジスタＭ１Ａ〜Ｍ１３Ｂに置き換えられていることを除いて、図５のシフトレジスタ２００Ａと同様である。例えば、ＰＭＯＳトランジスタＭ１は、２つのＰＭＯＳトランジスタＭ１ＡとＭ１Ｂからなるデュアルゲートトランジスタによって置き換えられ、ＰＭＯＳトランジスタＭ２は、２つのＰＭＯＳトランジスタＭ２ＡとＭ２Ｂからなるデュアルゲートトランジスタによって置き換えられ、ＰＭＯＳトランジスタＭ３は、２つのＰＭＯＳトランジスタＭ３ＡとＭ３Ｂからなるデュアルゲートトランジスタによって置き換えられる。シフトレジスタ２００Ｃの動作は、シフトレジスタ２００Ａの動作と同様であり、よって、簡易化のため省略される。
【００６７】
図８に示すように、ディスプレイパネルとして実施される画像表示システムのもう１つの実施例が表わされている。図８に示すように、ディスプレイパネル４００は、例えば、上述の信号駆動回路１００、画素アレイ４１０と、タイミングコントローラ４２０などの信号駆動回路を含む。ディスプレイパネル４００では、画素アレイ４１０は、信号駆動回路１００に動作可能に接続される。信号駆動回路は、複数の駆動パルスを順次に出力し、ディスプレイアレイ４１０を駆動する。タイミングコントローラ４２０は、信号駆動回路１００に駆動信号とスタートパルスを提供する。
【００６８】
図９は、ここでは、電子装置５００として実施される画像表示システムのもう１つの実施例を概略的に表しており、例えば、ディスプレイパネル４００などのディスプレイパネルを含み、他の実施例のプラズマディスプレイパネル、有機発光ディスプレイパネル、またはＣＲＴディスプレイパネルであることができるが、これを限定するものではない。電子装置５００は、デジタルカメラ、ポータブルＤＶＤ、テレビ、カーディスプレイ、ＰＤＡ、ノート型コンピュータ、タブレット型コンピュータ、携帯電話、またはディスプレイ装置などであることができる。通常、電子装置５００は、ハウジング５１０、ディスプレイパネル４００と、ＤＣ／ＤＣコンバータ５２０を含む。ＤＣ／ＤＣコンバータ５２０は、ディスプレイパネル４００に動作可能に接続され、出力電圧を提供してディスプレイパネル４００に電力を供給し、画像を表示する。
【００６９】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００７０】
【図１】ＰＭＯＳシフトレジスタを含む従来の信号駆動回路を表している。
【図２】駆動パルスを提供するシフトレジスタを示す図である。
【図３】信号駆動回路を組み込んだ画像表示システムの実施例を表している。
【図４】図３に示された信号駆動回路のタイミング図である。
【図５】本発明の信号駆動回路のシフトレジスタの実施例を表している。
【図６】本発明のシフトレジスタのもう１つの実施例を表している。
【図７】本発明のシフトレジスタのもう１つの実施例を表している。
【図８】画像表示システムの実施例を表している。
【図９】画像表示システムのもう１つの実施例を表している。
【符号の説明】
【００７１】
１０  パルス発生ユニット
２０  漏出保護ユニット
５０、２００Ａ〜２００Ｃ  シフトレジスタ
１００  信号駆動回路
ＣＬＫ１〜ＣＬＫ４  クロック
Ａ１〜ＡＮ、Ｂ１〜ＢＮ、Ｃ１〜ＣＮ  節点
Ｍ１〜Ｍ１３  トランジスタ
ＳＲ１〜ＳＲＮ  シフトレジスタ
ＩＮ  入力端子
ＯＵＴ  出力端子
ＡＴ、ＢＴ  クロック入力端子
Ｐ１、Ｐ２  電力端子
ＳＲ１〜ＳＲＮ  シフトレジスタ
ｏｕｔ１〜ｏｕｔｎ  駆動パルス
ＳＴＰ  スタートパルス
ＣＬＫ１〜ＣＬＫ４  クロック信号
ＶＤＤ、ＶＳＳ、ＶＡＮ、ＶＢＮ、ＶＣＮ  電圧
Ｉleakage 漏出
ＶＡ１〜ＶＡ３、ＶＢ１〜ＶＢ３、ＶＣ１〜ＶＣ３  電圧
ｔ０〜ｔ８  時間
Ｍ１〜Ｍ１３  ＰＭＯＳトランジスタ
Ｍ１Ａ〜Ｍ１３Ｂ  デュアルゲートトランジスタ
４００  ディスプレイパネル
４１０  画素アレイ
４２０  タイミングコントローラ
５１０  ハウジング
５２０  ＤＣ／ＤＣコンバータ
【図１】
0005344384.tif 000002
【図２】
0005344384.tif 000003
【図３】
0005344384.tif 000004
【図４】
0005344384.tif 000005
【図５】
0005344384.tif 000006
【図６】
0005344384.tif 000007
【図７】
0005344384.tif 000008
【図８】
0005344384.tif 000009
【図９】
0005344384.tif 000010